【手続補正書】
【提出日】平成18年3月20日(2006.3.20)
【手続補正１】
【補正対象書類名】明細書
【補正対象項目名】特許請求の範囲
【補正方法】変更
【補正の内容】
【特許請求の範囲】
【請求項１】  波長λを有する光信号を入力するための入力ポート、
前記光信号を受け取り、非線形偏光を介して内部で前記光信号を増幅且つスペクトル的に広帯域化するための、波長λ0においてゼロ分散を有する分散形ゲイン媒体、
前記分散形ゲイン媒体をポンピングするためのポンプ光を発生するための波長λpで動作するポンピング手段、および前記増幅され且つスペクトル的に広帯域化された光信号を出力するための出力ポート、から成り、ここで、λ≧λ0≧λpであり、前記ポンピング光は前記分散形ゲイン媒体を通過して、ゼロ分散波長λ0に近接する波長λrを有する中間次数を含む複数のラマン次数カスケードし、４波長混合（λr＜λ0の場合）又はパラメトリック増幅（λr＞λ0）と位相整合することを特徴とする広帯域非線形偏光増幅器。
【請求項２】  前記波長λr及びλ0が以下の関係｜λr−λ0｜≦５ｎｍを満足する請求項１記載の広帯域非線形偏光増幅器。
【請求項３】  前記分散形ゲイン媒体が光ファイバである請求項１記載の広帯域非線形偏光増幅器。
【請求項４】  前記分散形ゲイン媒体が約１３１０ｎｍのゼロ分散波長λ0を有する標準分散ファイバである請求項１記載の広帯域非線形偏光増幅器。
【請求項５】  前記分散形ゲイン媒体が、つなぎ合わされた第１及び第２の光ファイバから成り、前記光ファイバが、２つの異なるカスケードされたラマン次数に対して使用され且つそれぞれ１３１０ｎｍおよび１３９０ｎｍでゼロ分散波長λ0を有する請求項１記載の広帯域非線形偏光増幅器。
【請求項６】  前記分散形ゲイン媒体が少なくとも約１３１０ｎｍと１３９０ｎｍとの間で低分散を有する分散平坦化ファイバである請求項１記載の広帯域非線形偏光増幅器。
【請求項７】  前記ポンピング波長λpが約１１１７ｎｍである請求項１記載の広帯域非線形偏光増幅器。
【請求項８】  前記ポンピング波長λpが約１２４０ｎｍである請求項１記載の広帯域非線形偏光増幅器。
【請求項９】  前記光信号が少なくとも約１４３０ｎｍと１５３０ｎｍとの間の波長λを有している請求項１記載の広帯域非線形偏光増幅器。
【請求項１０】  前記ポンピング手段が光ポンプ半導体レーザである請求項１記載の広帯域非線形偏光増幅器。
【請求項１１】  前記ポンピング手段がクロムドープ苦土橄欖石レーザである請求項１記載の広帯域非線形偏光増幅器。
【請求項１２】  前記ポンピング手段が格子ベースのラマン発振器を伴うクラッディングポンプファイバレーザである請求項１記載の広帯域非線形偏光増幅器。
【請求項１３】  前記入力ポートがＷＤＭカップラから成る請求項１記載の広帯域非線形偏光増幅器。
【請求項１４】  前記出力ポートがＷＤＭカップラから成る請求項１記載の広帯域非線形偏光増幅器。
【請求項１５】  波長λを有する光信号を入力するための入力ポート、
前記光入力を受け取り、非線形偏光を介して内部で前記光信号を増幅し且つスペクトル的に広帯域化するための、波長λ0でゼロ分散を有し且つ１２４０ｎｍより小さいカットオフ波長を有する光ファイバ、
前記光ファイバをポンプするポンヒング光を発生するための、波長１２４０ｎｍで作動するポンピング手段、
前記増幅され且つスペクトル的に広帯域化された光信号を出力するための出力ポート、
ここで、λ≧λ0≧１２４０ｎｍであり、
前記ポンピング光は前記光ファイバを通過して、ゼロ分散波長λ0に近接する波長λrを有する中間次数を含む複数のラマン次数カスケードし、４波長混合（λr＜λ0の場合）又はパラメトリック増幅（λr＞λ0）と位相整合することを特徴とする広帯域非線形偏光増幅器。
【請求項１６】  １２４０ｎｍで作動し、ポンピング変換効率を増大するために前記光ファイバに接続された逆反射体を更に含む請求項１５記載の広帯域非線形偏光増幅器。
【請求項１７】  前記逆反射体がダイクロイックミラーである請求項１６記載の広帯域非線形偏光増幅器。
【請求項１８】  前記逆反射体が１２４０ｎｍ格子である請求項１６記載の広帯域非線形偏光増幅器。
【請求項１９】  前記光ファイバが約１３１０ｎｍのゼロ分散波長λ0を有している標準分散ファイバである請求項１５記載の広帯域非線形偏光増幅器。
【請求項２０】  前記光ファイバが、つなぎ合わされた第１及び第２の光ファイバから成り、前記第１の光ファイバが一方のカスケードされたラマン次数に対して使用される約１３１０ｎｍでゼロ分散波長を有し、前記第２の光ファイバが他方のカスケードされたラマン次数に対して使用される約１３９０ｎｍでゼロ分散波長を有する請求項１５記載の広帯域非線形偏光増幅器。
【請求項２１】  前記光ファイバが、少なくとも約１３１０ｎｍと１３９０ｎｍとの間で低分散を有する分散平坦化ファイバである請求項１５記載の広帯域非線形偏光増幅器。
【請求項２２】  前記光信号が約１４３０ｎｍと１５３０ｎｍとの間の波長を有する請求項１５記載の広帯域非線形偏光増幅器。
【請求項２３】  前記ポンピング手段が、カップラベースの又は格子ベースのラマン発振器キャビティを伴う、１１１７ｎｍクラッディング・ポンプ・ファイバである請求項１５記載の広帯域非線形偏光増幅器。
【請求項２４】  前記ポンピング手段が、光ポンプ半導体レーザであることを特徴とする請求項１５記載の広帯域非線形偏光増幅器。
【請求項２５】  前記ポンピング手段がクロムドープ苦土橄欖石である請求項１５記載の広帯域非線形偏光増幅器。
【請求項２６】  前記入力ポートがＷＤＭカップラから成る請求項１５記載の広帯域非線形偏光増幅器。
【請求項２７】  前記入力ポートが、スプリアスフィードバックにより前記増幅器がレーザ発振することを防ぐためのアイソレータを更に含む請求項２６記載の広帯域非線形偏光増幅器。
【請求項２８】  前記出力ポートがＷＤＭカップラから成る請求項２６記載の広帯域非線形偏光増幅器。
【請求項２９】  前記出力ポートが、スプリアスフィードバックにより前記増幅器がレーザ発振することを防ぐためのアイソレータを更に含む請求項２８記載の広帯域非線形偏光増幅器。
【請求項３０】  約１４３０ｎｍと１５３０ｎｍとの間の波長を有する光信号を入力するための入力ポート、
サニャックラマンキャビティであり、
広帯域ミラー、および
ラマンゲインファイバとこれに結合された光カップラとから成っており、前記ファイバが前記光信号を受けて、非線形偏光を介して内部で前記光信号を増幅し且つスペクトル的に広帯域化し、前記ファイバが、波長λ0でゼロ分散を有し且つカットオフ波長λcoを有するサグナップラマンキャビティ、
カップリング手段を介して前記ファイバをポンプするためにポンピング光を発生するための、波長λpで作動するポンピング手段、および
前記増幅され且つスペクトル的に広帯域化された光信号を出力するための出力ポート、から成り、
ここで、１４３０ｎｍ≧λ0 ≧λpであり、
前記ポンピング光が前記分散形ゲイン媒体を通過して、ゼロ分散波長λ0に近接する波長λrを有する中間次数を含む複数のラマン次数カスケードし、４波長混合（λr＜λ0の場合）又はパラメトリック増幅（λr＞λ0）と位相整合することを特徴とする広帯域非線形偏光増幅器。
【請求項３１】  偏光状態を制御するための偏光コントローラを前記サグナッグラマンキャビティを更に含むことを特徴とする請求項３０記載の広帯域非線形偏光増幅器。
【請求項３２】  前記ファイバか、約１３１０ｎｍのゼロ分散波長λ0を有する標準分散ファイバである請求項３０記載の広帯域非線形偏光増幅器。
【請求項３３】  前記ファイバが、つなぎ合わされた第１及び第２の光ファイバから成っており、前記光ファイバが、２つの異なるカスケードされたラマン次数に対して使用され且つそれぞれ１３１０ｎｍおよび１３９０ｎｍのゼロ分散波長λ0を有する請求項１記載の広帯域非線形偏光増幅器。
【請求項３４】  前記ファイバが、少なくとも約１３１０ｎｍと１３９０ｎｍとの間で低分散を有する分散平坦化ファイバである請求項１５記載の広帯域非線形偏光増幅器。
【請求項３５】  前記ポンピング手段が、光ポンプ半導体レーザである請求項３０記載の広帯域非線形偏光増幅器。
【請求項３６】  前記ポンピング手段が、クロムドープ苦土橄欖石レーザである請求項３０記載の広帯域非線形偏光増幅器。
【請求項３７】  前記カットオフ波長λcoおよび前記ポンピング波長が、共に約１２４０ｎｍである請求項３０記載の広帯域非線形偏光増幅器。
【請求項３８】  前記光カップラが、約１２４０ｎｍと１４３０ｎｍとの間の波長を有する少なくとも前記光信号に対して、名目で５０：５０である請求項３７記載の広帯域非線形偏光増幅器。
【請求項３９】  前記カップリング手段が、約１３００ｎｍと１４３０ｎｍとの間の少なくとも一波長で透過するＷＤＭカップラから成る請求項３７記載の広帯域非線形偏光増幅器。
【請求項４０】  前記入力ポートおよび出力ポートの各々が、約１２４０ｎｍと１４２５ｎｍとの間の少なくとも一波長で透過するＷＤＭカップラから成る請求項３７記載の広帯域非線形偏光増幅器。
【請求項４１】  前記ポンピング手段が、カップラベース又は格子ベースのラマン発振器キャビティを伴う１１１７ｎｍクラッディングポンプファイバレーザである請求項３８記載の広帯域非線形偏光増幅器。
【請求項４２】  前記カットオフ波長λcoおよび前記ポンピング波長の各々が、約１１１７ｎｍである請求項３８記載の広帯域非線形偏光増幅器。
【請求項４３】  前記光カップラが、約１１１７ｎｍと１４３０ｎｍとの間の波長を有する少なくとも前記光信号に対して名目で５０：５０である請求項４２記載の広帯域非線形偏光増幅器。
【請求項４４】  前記カップリン手段が、約１１６５ｎｍと１４３０ｎｍとの間の少なくとも一波長で透過するＷＤＭカップラから成る請求項４２記載の広帯域非線形偏光増幅器。
【請求項４５】  前記入力ポートおよび出力ポートの各々が、約１１１７ｎｍと１４２５ｎｍとの間の少なくとも一波長で透過するＷＤＭカップラから成る請求項４３記載の広帯域非線形偏光増幅器。
【請求項４６】  広帯域ミラー、およびループミラーから成り、このループミラーが、ラマンゲインファイバとこれに結合された光カップラとから成り、前記ファイバがゼロ分散波長λ0およびカットオフ波長λcoを有するサニャックラマンキャビティを設け、
約１４３０ｎｍと１５３０ｎｍとの間に波長を有する光信号を前記ゲインファイバに入力し、
波長λpで作動するポンピング手段からポンピング光を発生し、
前記光信号を増幅するために、前記ポンピング光で前記ゲインファイバをポンピングし、
前記ゲインファイバを通過する前記ポンピング光を複数のラマン次数カスケードし、波長λpは、中間ラマン次数が、前記ゼロ分散波長λ0に近接する波長λrを有するようなものであり、
前記中間ラマン次数を、スペクトル広帯域化のために、４波長混合（λr＜λ0の場合）又はパラメトリック増幅（λr＞λ0）と位相整合させ、そして
前記増幅され且つスペクトル的に広帯域化された光信号を出力し、ここで、λ≧λ0≧λpである、増幅された広帯域光信号を発生する方法。
【請求項４７】  前記方法が、前記サニャックラマンキャビティ内の偏光状態を制御する工程を更に含む請求項４６記載の増幅された広帯域光信号を発生する方法。
【請求項４８】  １４３０ｎｍと１５３０ｎｍとの間の波長を有する増幅された広帯域光信号を発生する方法であり、
光信号を所定の波長で分割して、前記所定の波長より小さい波長を有する第１のビームと、前記所定の波長より大きい波長を有する第２のビームとにし、
前記第１のビームを増幅し且つスペクトル的に広帯域化するために、請求項１の第１の広帯域非線形偏光増幅器に、前記第１のビームを向け、
前記第２のビームを増幅し且つスペクトル的に広帯域化するために、請求項１の第２の広帯域非線形偏光増幅器に、前記第１のビームを向け、そして
前記増幅され且つスペクトル的に広帯域化された第１および第２のビームを接合して、増幅された広帯域光信号を発生する方法。
【請求項４９】  前記所定の波長が、約１４８０ｎｍであり、前記第１の増幅器のゼロ分散波長が約１３６５ｎｍであり、前記第２の増幅器のゼロ分散波長が約１３２８ｎｍである請求項４８記載の１４３０ｎｍと１５３０ｎｍとの間の波長を有する増幅された広帯域光信号を発生する方法。
【請求項５０】  １４３０ｎｍから１５３０ｎｍの間の波長を有する光信号を、所定の波長λdで分割し、λdより小さい波長λ1を有する第１のビームと、λdより大きい波長λ2を有する第２のビームとにするための分割手段、
前記第１のビームを入力するための第１の入力と、
前記第１のビームを受けて、非線形偏光を介して内部で前記第１のビームを増幅し且つスペクトル的に広帯域化するための、波長λ01でゼロ分散を有する第１の分散形ゲイン媒体と、
前記第１の分散形ゲイン媒体をポンプするために、第１のポンピング光を発生するための波長λp1で作動する第１のポンピング手段と、
前記増幅され且つスペクトル的に広帯域化された第１のビームを出力する第１の出力ポートとから成る、第１の広帯域非線形偏光増幅器であり、
ここで、λ1 ≧λ01≧λp1であり、
前記第１のポンピング光が前記第１の分散形ゲイン媒体を通過して、ゼロ分散波長λ01に近接する波長λr1を有する中間次数を含む複数のラマン次数カスケードし、４波長混合（λr1＜λ01の場合）又はパラメトリック増幅（λr1＞λ01）と位相整合する第１の広帯域非線形偏光増幅器、
前記第２のビームを入力するための第２の入力と、
前記第２のビームを受けて、非線形偏光を介して内部で前記第２のビームを増幅し且つスペクトル的に広帯域化するための、波長λ02でゼロ分散を有する第２の分散形ゲイン媒体と、
前記第２の分散形ゲイン媒体をポンプするために、第２のポンピング光を発生するための波長λp2で作動する第２のポンピング手段と、
前記増幅され且つスペクトル的に広帯域化された第２のビームを出力する第２の出力ポートとから成る、第２の広帯域非線形偏光増幅器であり、
ここで、λ2 ≧λ02≧λp2であり、
前記第２のポンピング光が前記第２の分散形ゲイン媒体を通過して、ゼロ分散波長λ02に近接する波長λr2を有する中間次数を含む複数のラマン次数カスケードして、４波長混合（λr2＜λ02の場合）又はパラメトリック増幅（λr2＞λ02）と位相整合する第２の広帯域非線形偏光増幅器、および
前記増幅され且つスペクトル的に広帯域化された第１および第２のビームを結合して、増幅された広帯域光信号を発生する手段、から成る広帯域並列光信号増幅装置。
【請求項５１】  前記所定の波長λdが、約１４８０ｎｍである請求項５０記載の光信号増幅装置。
【請求項５２】  前記第２のゲイン媒体が、約１３２８ｎｍの前記ゼロ分散波長λ02を有する請求項５０記載の光信号増幅装置。
【請求項５３】  前記ポンピング波長λp1が、約１１００ｎｍである請求項５０記載の光信号増幅装置。
【請求項５４】  前記ポンピング波長λp2が、約１１３０ｎｍである請求項５０記載の光信号増幅装置。
【請求項５５】  前記分割手段が、ＷＤＭカップラから成る請求項５０記載の光信号増幅装置。
【請求項５６】  前記結合手段が、ＷＤＭカップラから成る請求項５０記載の光信号増幅装置。
【請求項５７】  前記第１のビーム波長λ1 が、約１４５５ｎｍである請求項５０記載の光信号増幅装置。
【請求項５８】  前記第２のビーム波長λ2 が、約１５０５ｎｍである請求項５０記載の光信号増幅装置。
【請求項５９】  １４３０ｎｍから１６２０ｎｍの間の波長を有する光信号を、所定の波長λdで分割して、λdより小さい波長λを有する第１のビームと、λdより大きい波長を有する第２のビームとにするための分割手段、
前記第１のビームを入力するための入力ポートと、
前記第１のビームを受けて、非線形偏光を介して内部で前記第１のビームを増幅し且つスペクトル的に広帯域化するための、波長λ0でゼロ分散を有する分散形ゲイン媒体と、
前記分散形ゲイン媒体をポンプするためのポンピング光を発生するために波長λpで作動するポンピング手段と、から成る広帯域化非線形偏光増幅器であり、ここで、λ≧λ0 ≧λpであり、
前記ポンピング光が前記分散形ゲイン媒体を通過して、ゼロ分散波長λ0に近接する波長λrを有する中間次数を含を複数のラマン次数でカスケードし、４波長混合（λr＜λ0の場合）又はパラメトリック増幅（λr＞λ0）と位相整合する広帯域非線形偏光増幅器、
前記第２のビームを受け且つ増幅された広帯域の第２のビームを発生するためのエルビウムドープファイバ増幅器、および
前記増幅され且つスペクトル的に広帯域化された第１および第２のビームを結合して、増幅された広帯域光信号を発生する手段から成る、並列光増幅装置。
【請求項６０】  前記所定の波長λdが、約１５２５ｎｍである請求項５９記載の光信号増幅装置。
【請求項６１】  前記分割手段が、ＷＤＭカップラから成る請求項６０記載の光信号増幅装置。
【請求項６２】  前記結合手段が、ＷＤＭカップラから成る請求項６０記載の光信号増幅装置。
【請求項６３】  波長λを有する光信号をゼロ分散波長λ0を有する分散形ゲイン媒体に入力し、
波長λpで作動されるポンピング手段からポンピング光を発生し、
前記ポンピング光で前記分散形ゲイン媒体をポンピングして前記光信号を増幅し、
前記分散形ゲイン媒体を通過する前記ポンピング光を、複数のラマン次数カスケードし、波長λpは、中間ラマン次数がゼロ分散波長λ0に近接する波長λrを有し、
前記中間ラマン次数を、スペクトル広帯域化のために、４波長混合（λr＜λ0の場合）又はパラメトリック増幅（λr＞λ0）と位相整合させ、そして
前記増幅され且つスペクトル的に広帯域化された光信号を出力し、ここで、λ≧λ0≧λpである、増幅された広帯域光信号を発生するための方法。
【請求項６４】  前記波長λrおよびλoが以下の関係を
｜λr−λo｜≦５ｎｍ
を満足する請求項６３記載の方法。
【請求項６５】  前記分散形ゲイン媒体が、光ファイバである請求項６４記載の増幅された広帯域光信号を発生するための方法。
【請求項６６】  前記分散形ゲイン媒体が、約１３１０ｎｍのゼロ分散波長λ0 を有する標準分散ファイバである請求項６４記載の増幅された広帯域光信号を発生するための方法。
【請求項６７】  前記分散形ゲイン媒体が、つなぎ合わされた第１および第２のファイバから成り、前記光ファイバが２つの異なるカスケードされたラマン次数に対して使用され、それぞれ、約１３１０ｎｍと１３９０ｎｍでゼロ分散波長λ0を有する請求項６４記載の増幅された広帯域光信号を発生するための方法。
【請求項６８】  前記分散形ゲイン媒体が、少なくとも約１３１０ｎｍと１３９０ｎｍとの間で低分散を有する分散平坦化ファイバである請求項６４記載の増幅された広帯域光信号を発生するための方法。
【請求項６９】  約１４３０ｎｍと１５３０ｎｍとの間の波長λを有する光信号を、波長λ0でゼロ分散を有し、１２４０ｎｍより小さいカットオフ波長を有する光ファイバに入力し、
１２４０ｎｍの波長で作動するポンピング手段からポンピング光を発生し、
前記光信号を増幅するために、前記ポンピング光で前記光ファイバをポンピングし、
前記分散形ゲイン媒体を通過する前記ポンピング光を、複数のラマン次数カスケードし、中間のラマン次数が前記ゼロ分散波長λ0に近接する波長λrを有しており、
前記中間ラマン次数を、スペクトル広帯域化のために、４波長混合（λr＜λ0の場合）又はパラメトリック増幅（λr＞λ0）と位相整合させ、そして前記増幅され且つスペクトル的に広帯域化された光信号を出力し、ここで、λ≧λ0≧１２４０ｎｍである、増幅された広帯域光信号を発生する方法。
【請求項７０】  光ファイバからビームを逆反射することによってポンピング変換効率を増加する工程を更に含む請求項６４記載の広帯域光信号を発生する方法。
【請求項７１】  スプリアスフィードバックによってレーザ発振することを防ぐためにアイソレータを使用することを含む請求項６５記載の増幅された広帯域光信号を発生する方法。
【請求項７２】  広帯域ミラー、およびループミラーから成り、このループミラーが、ラマンゲインファイバとこれに結合された光カップラとから成り、前記ファイバがゼロ分散波長λ0およびカットオフ波長λcoを有するサニャックラマンキャビティを設け、
約１４３０ｎｍと１５３０ｎｍとの間に波長を有する光信号を前記ゲインファイバに入力し、
波長λpで作動するポンピング手段からポンピング光を発生し、
前記光信号を増幅するために、前記ポンピング光で前記ゲインファイバをポンピングし、
前記ゲインファイバを通過する前記ポンピング光を複数のラマン次数カスケードし、波長λpは、中間ラマン次数が、前記ゼロ分散波長λ0に近接する波長λrを有するようなものであり、
前記中間ラマン次数を、スペクトル広帯域化のために、４波長混合（λr＜λ0の場合）又はパラメトリック増幅（λr＞λ0）と位相整合させ、そして
前記増幅され且つスペクトル的に広帯域化された光信号を出力し、ここで、λ≧λ0≧λpである、増幅された広帯域光信号を発生する方法。
【請求項７３】  入力信号経路を有する少なくとも一つの入力ファイバ、
前記入力ファイバに結合され、光信号を少なくとも第１の波長と第２の波長に分割するスプリッタ、
前記スプリッタに結合され且つ１４３０乃至１５３０ｎｍの範囲で動作するＳ帯域増幅器、
Ｓ帯域増幅器に導入され且つ入力信号経路に沿って双方向でＳ帯域増幅器をポンプするポンプビームを発生するポンプ源であり、ポンプビームは、入力信号を増幅した後入力信号から除去され、Ｓバンド増幅器から出て行く、ポンプ源、
前記スプリッタに結合された第２の増幅器であり、Ｓ帯域増幅器のポンプ波長が、第２の増幅器のポンプ波長と異なる第２の増幅器、
Ｓ帯域増幅器と第２の増幅器に結合され、少なくとも第１の波長と第２の波長を組み合わせる結合器、および
前記結合器に結合された出力フィルタを備える広帯域増幅器。
【請求項７４】  Ｓ帯域増幅器のポンプ波長が、第２の増幅器のポンプ波長よりも長いことを特徴とする請求項７３記載の増幅器。
【請求項７５】  Ｓ帯域増幅器のポンプ波長が、第２の増幅器のポンプ波長よりも短いことを特徴とする請求項７３記載の増幅器。
【請求項７６】  入力信号経路を有する少なくとも一つの入力ファイバ、
前記入力ファイバに結合され、光信号を少なくとも第１の波長と第２の波長に分割するスプリッタ、
前記スプリッタに結合され且つ３次非線形を介してゲインを発生する分散形ゲイン媒体、
入力信号経路に沿った入力信号の方向に対して逆に伝搬する仕方で、少なくとも一つの分散形ゲイン媒体に導入されてポンプを行い、分散形ゲイン媒体から出た後に、入力信号経路から除去されるポンプビームを発生するポンプ源、
前記スプリッタに結合された、一つ以上の希土類ドープ光増幅器、
分散形ゲイン媒体と希土類ドープ光増幅器を結合され、少なくもと第１の波長と第２の波長とを組み合わせる結合器、および
前記結合器に結合された出力フィルタを備える広帯域増幅器。
【請求項７７】  前記スプリッタは、第１の波長を前記分散形ゲイン媒体に向け、第２の波長を希土類ドープ光増幅器に向ける請求項７６記載の増幅器。
【請求項７８】  前記Ｓ帯域増幅器が、ラマン増幅器からなる請求項７３記載の増幅器。
【請求項７９】  前記第２の増幅器が希土類ドープファイバ増幅器である請求項７３記載の増幅器。
【請求項８０】  前記分散形ゲイン媒体が分散ラマンゲイン媒体からなる請求項７６記載の増幅器。
【請求項８１】  非線形偏光増幅器ステージであって、
範囲λs内の波長を含む複数波長光信号を受信するように作動するゲイン媒体、
前記ゲイン媒体に導入するための少なくとも一つのポンプ波長λpを発生するように作動するポンプ、および
前記ゲイン媒体に少なくとも一つのポンプ波長を導入して、複数波長光信号の少なくとも一部のラマン増幅を容易にするカップラ、を備え、
少なくとも一つのポンプの少なくとも強度が、増幅ステージにおける複数波長光信号と関連するゲイン曲線の形状に影響するように選択され、
ゲイン媒体の少なくとも一部が、少なくとも一つの波長λsよりも短いかまたは等しく、且つλpよりも長いかまたは等しいゼロ分散波長λ0を含む非線形偏光増幅ステージ。
【請求項８２】  非線形偏光増幅器ステージのゲイン曲線の形状を制御する方法であり、
ラマン増幅器ステージのゲイン媒体で、波長範囲λs内にある複数波長信号を受信し、
ポンプ信号の少なくとも強度を選択し、波長λpを含むポンプ信号を得、
ポンプ信号をゲイン媒体に導入して、ゲイン媒体の少なくとも一部に渡っての複数波長信号の少なくとも一部の増幅を容易にすることを含み、
増幅器ステージのゲイン曲線の形状が、ポンプ信号の波長または強度の選択に少なくとも部分的に基づいており、
ゲイン媒体の少なくとも一部が、少なくとも一つの波長λsよりも短いかまたは等しく且つλpよりも長いかまたは等しいゼロ分散波長λ0を含む方法。
【請求項８３】  範囲λs内の波長を含む複数波長光信号を受信するように作動可能であり、少なくとも一部がゼロ分散波長λ0を含むゲイン媒体、
ゲイン媒体に導入するために少なくとも一つのポンプ波長λpを発生するように作動可能であり、少なくとも1つのポンプ波長λpがゼロ分散波長λ0の30ナノメータ以内にあるポンプ、および
複数波長光信号の少ないとも一部のラマン増幅を容易にするために、少なくとも一つのポンプ波長を導入するように作動可能なカップラ、を備え、
少なくとも一つのポンプ波長の少なくとも強度が、増幅器ステージ内の複数波長光信号と関係するゲイン曲線に影響するように選択される非線形偏光増幅器ステージ。
【請求項８４】  非線形偏光増幅器のゲイン曲線の形状を制御するための方法であり、
ラマン増幅器ステージのゲイン媒体で複数波長信号を受信し、ここで、ゲイン媒体の少なくとも一部がゼロ分散波長λ0を含み、複数波長信号の波長が波長範囲λs内にあり、
ポンプ信号の少なくとも強度を選択し、ここで、得られるポンプ信号が波長λpを含み、波長λpが、ゼロ分散波長λ0の30ナノメータ以内にあり、
ゲイン媒体の少なくとも一部の渡っての複数波長信号の少なくとも一部の増幅を容易にするためにポンプ信号をゲイン媒体に導入するステップを具備し、
増幅器ステージに対するゲイン曲線の形状が、ポンプ信号の波長または強度の選択に少なくとも部分的に基づいて決定される方法。
【請求項８５】  波長λを有する少なくとも一つの光信号を入力するための入力ポート、
光信号を受信し、且つ非線形偏光を介して光信号を増幅するための分散形ゲイン媒体であり、少なくとも一部が波長λ0でゼロ分散を有する分散形ゲイン媒体、
分散形ゲイン媒体をポンプするためのポンプ光を発生するために、波長λpで作動する少なくとも一つの半導体レーザ、を備え、
λは、λpよりも長いかまたは等しいλ0よりも長いかまたは等しい、広帯域非線形偏光増幅器。
【請求項８６】  波長λを有する少なくとも一つの光信号を入力するための入力ポート、
光信号を受信し、且つ非線形偏光を介して光信号を増幅するための分散形ゲイン媒体であり、少なくとも一部が波長λ0でゼロ分散を有する分散形ゲイン媒体、
クラッディングポンプファイバレーザによってポンプされ、分散形ゲイン媒体をポンプする一つ以上の出力波長λpを発生するための格子ベースラマン発振器であり、λがλ0よりも長いかまたは等しく、λ0が一つ以上の出力波長λpの少なくとも一つよりも長いかまたは等しい格子ベースラマン発振器、および
増幅された光信号を出力するための出力ポート、を備える広帯域非線形偏光増幅器。
【請求項８７】  波長λを有する少なくとも一つの光信号を入力するための入力ポート、
光信号を受信し、且つ非線形偏光を介して光信号を増幅するための分散形ゲイン媒体であり、少なくとも一部が波長λ0でゼロ分散を有する分散形ゲイン媒体、
分散形ゲイン媒体をポンプするためのポンプ光を発生するための波長λpで作動する少なくとも一つの半導体レーザであり、λpは、λ0の30ナノメートル以内である半導体レーザ、を備える増幅された光信号を出力するための出力ポートを具備する広帯域非線形偏光増幅器。
【請求項８８】  波長λを有する少なくとも一つの光信号を入力するための入力ポート、
光信号を受信し、且つ非線形偏光を介して光信号を増幅するための分散形ゲイン媒体であり、少なくとも一部が波長λ0でゼロ分散を有する分散形ゲイン媒体、
クラッディングポンプファイバレーザによってポンプされ、一つ以上の出力波長λpを発生する格子ベースラマン発振器であり、少なくとも一つの出力波長λpがλ0の30ナノメートル以内にある格子ベースラマン発振器、および
増幅された光信号を出力するための出力ポート、を備える広帯域非線形偏光増幅器。
【請求項８９】  波長λを有する光信号を入力するための入力ポート、
光信号を受信し、且つ非線形偏光を介して光信号を増幅するための分散形ゲイン媒体であり、波長λ0でゼロ分散を有する分散形ゲイン媒体、
分散形ゲイン媒体をポンプするためのポンプ光を発生するために、波長λpで作動する一つ以上の半導体レーザ、を備え、
λは、λpよりも長いかまたは等しいλ0よりも長いかまたは等しい、広帯域非線形偏光増幅器。
【請求項９０】  波長λを有する光信号を入力するための入力ポート、
光信号を受信し、且つ非線形偏光を介して光信号を増幅するための分散形ゲイン媒体であり、波長λ0でゼロ分散を有する分散形ゲイン媒体、
波長λpで作動する格子ベースラマン発振器続く、分散形ゲイン媒体をポンプするためのポンプ光を発生するためのクラッディング・ポンプ・ファイバ・レーザを備え、
λは、λpよりも長いかまたは等しいλ0よりも長いか等しい広帯域非線形偏光増幅器。